(57)【要約】【課題】  広い設置場所を確保せずにスクリーンを設置する。【解決手段】  投射光Ｌを受けることによって画像を表示するスクリーン１であって、板状の透明部材２２と該透明部材２２の一方の面側に配置されかつ外光の透過率を変化させる透過率変更部２３，２４とを備える。【選択図】              図１
2005128343.tif 000002
【特許請求の範囲】
【請求項１】
投射光を受けることによって画像を表示するスクリーンであって、
板状の透明部材と該透明部材の一方の面側に配置されかつ外光の透過率を変化させる透過率変更部とを備えることを特徴とするスクリーン。
【請求項２】
前記透過率変更部は、前記投射光を透過あるいは反射し、かつ、前記投射光を散乱する第１幕部材と該第１幕部材を展開あるいは収納する第１展開・収納機構を有することを特徴とする請求項１記載のスクリーン。
【請求項３】
前記第１幕部材が前記投射光を透過する場合に、前記透過率変更部は、前記投射光を反射しかつ前記投射光を散乱する第２幕部材と、該第２幕部材を展開あるいは収納する第２展開・収納機構を有することを特徴とする請求項２記載のスクリーン。
【請求項４】
前記透過率変更部は、前記投射光を反射あるいは透過し、かつ、前記投射光を散乱する複数の散乱板と、該散乱板の各々を前記投射光の入射方向に対して直交する中心軸を中心として回転させる回転機構を有することを特徴とする請求項１記載のスクリーン。
【請求項５】
前記透過率変更部は、前記投射光を反射あるいは透過し、かつ、前記投射光を散乱し、かつ、折り畳み自在の散乱板と、該散乱板を折り畳むことによって収納する折り畳み収納機構とを有することを特徴とする請求項１記載のスクリーン。
【請求項６】
前記透明部材の他方側の面には、前記外光の反射を防止する反射防止処理が施されていることを特徴とする請求項１〜５いずれかに記載のスクリーン。
【請求項７】
前記透明部材と自らによって少なくとも前記透過率変更部のうち前記画像が表示される部位が挟み込まれるように配置される板状の第２透明部材を備えることを特徴とする請求項１〜６いずれかに記載のスクリーン。
【請求項８】
前記第２透明部材における前記透過率変更部との非対向面には、外光の反射を防止する反射防止処理が施されていることを特徴とする請求項７記載のスクリーン。
【発明の詳細な説明】
【技術分野】
【０００１】
本発明は、スクリーンに関するものである。
【背景技術】
【０００２】
周知のように、従来、プロジェクタ本体とスクリーンとを備えるプロジェクタシステムにおいては、プロジェクタ本体から投射される投射光をスクリーンで受けることによってスクリーン上に画像を表示している。このスクリーンは、一般的に透過型と反射型の２種類がある。透過型のスクリーンは、プロジェクタ本体から投射された投射光を透過し、その際に投射光を散乱させることによって画像を表示している。また、反射型のスクリーンは、プロジェクタ本体から投射された投射光を反射し、その際に投射光を散乱させることによって画像を表示している。このようなスクリーンは、プロジェクタ本体からの投射光による画像が十分に拡大されるように、プロジェクタ本体から離間して配置されるため、プロジェクタシステムにおけるプロジェクタ本体とスクリーンとは、周知のように別体で設けられている。
【特許文献１】特開平０９−３２５４２２号公報
【発明の開示】
【発明が解決しようとする課題】
【０００３】
ところで、プロジェクタ本体は、近年、小型・軽量化が進み、さらに低価格化されている。このため、この先、一般家庭や小型店舗への普及が広がっており、今後さらに普及することが想定される。しかしながら、プロジェクタ本体が小型・軽量化されることによって、一般家庭や小型店舗におけるプロジェクタ本体の設置スペースが縮小された場合であっても、所望の大きさの画像を表示するためには、スクリーンを小型化することはできない。このため、スクリーンの配置場所が確保できないために、今後のプロジェクタシステムの一般家庭や小型店舗における普及に歯止めをかけることとなりかねない。
【０００４】
本発明は、上述する問題点に鑑みてなされたもので、広い設置場所を確保せずにスクリーンを設置することを目的とする。
【課題を解決するための手段】
【０００５】
上記目的を達成するために、本発明に係るスクリーンは、投射光を受けることによって画像を表示するスクリーンであって、板状の透明部材と該透明部材の一方の面側に配置されかつ外光の透過率を変化させる透過率変更部とを備えることを特徴とする。
【０００６】
このような特徴を有する本発明に係るスクリーンによれば、透明部材の一方の面側に、外光の透過率を変化させる透過率変更部が設置されている。このため、本発明に係るスクリーンを一般家庭や小型店舗の窓及びカーテンとして用いることができる。
例えば、透過率変更部における外光の透過率を高くすれば、本発明に係るスクリーンは、一般的な窓としての機能を発揮する。また、透過率変更部における外光の透過率を低くすれば、本発明に係るスクリーンは、一般的なカーテンとしての機能を発揮する。また、透過率変更部における外光の透過率を低くし、プロジェクタ本体から投射光を受けた場合には、透過率変更部において投射光が散乱されるため、本発明に係るスクリーンは、プロジェクタシステムにおけるスクリーンとして機能を有する。
このため、従来の窓及びカーテンの設置場所に本発明に係るスクリーンを設置することによって、従来の窓及びカーテンが有する機能を損なうことなく、プロジェクタシステムのスクリーンを設置することが可能となる。したがって、広い設置スペースを確保することなく、スクリーンを設置することができる。
【０００７】
本発明に係るスクリーンの透過率変更部は、上記透過率変更部は、上記投射光を透過あるいは反射し、かつ、上記投射光を散乱する第１幕部材と該第１幕部材を展開あるいは収納する第１展開・収納機構を有するという構成を採用することができる。
このような構成を採用する本発明に係るスクリーンによれば、投射光を散乱させることによって画像を表示する第１幕部材を展開あるいは収納する第１展開・収納機構を有しているため、第１幕部材を収納することによって容易にスクリーンにおける外光の透過率を高くし、第１幕部材を展開することによって容易にスクリーンにおける外光の透過率を低くすることが可能となる。
【０００８】
また、この第１幕部材が上記投射光を透過し、その際に投射光を散乱させることによって画像を表示する場合、上記透過率変更部は、上記投射光を反射しかつ上記投射光を散乱する第２幕部材と、該第２幕部材を展開あるいは収納する第２展開・収納機構を有することが好ましい。
このように、投射光を反射しかつ投射光を散乱する第２幕部材を有することによって、本発明に係るスクリーンを透過型のスクリーンとして使用することができ、また、本発明に係るスクリーンを反射型のスクリーンとして使用することもできる。
また、第２幕部材は、光（投射光）を反射するため、当然、光（投射光）を透過する第１幕部材よりその透過率が低い。したがって、例えば、本発明に係るスクリーンにおける第２幕部材をカーテンとして用いる場合には、より高い遮光性を得ることが可能となる。
【０００９】
また、本発明に係るスクリーンの透過率変更部は、上記投射光を反射あるいは透過し、かつ、上記投射光を散乱する複数の散乱板と、該散乱板の各々を上記投射光の入射方向に対して直交する中心軸を中心として回転させる回転機構を有するという構成を採用することができる。
このような構成を採用する本発明に係るスクリーンによれば、回転機構によって、散乱板の散乱面を投射方向に向けることで容易に本発明に係るスクリーンの透過率の低下させることができ、また、回転機構によって、散乱板の散乱面を投射方向と平行にすることによって容易に本発明に係るスクリーンの透過率を高くすることができる。
【００１０】
また、本発明に係るスクリーンの透過率変更部は、上記投射光を反射あるいは透過し、かつ、上記投射光を散乱し、かつ、折り畳み自在の散乱板と、該散乱板を折り畳むことによって収納する折り畳み収納機構とを有するという構成を採用することができる。
このような構成を採用する本発明に係るスクリーンによれば、投射光を反射あるいは透過する際に散乱させることによって画像を表示すると共に、折り畳み自在である散乱板を有しているため、折り畳み収納機構によって、散乱板を折り畳むことによって収納ことで、容易にスクリーンにおける外光の透過率を変化させることができる。
すなわち、このような構成を採用する本発明に係るスクリーンは、プロジェクタシステムのスクリーン、窓及びブラインドの機能を有している。
また、本発明に係るスクリーンは、上記透明部材の他方側の面に、上記外光の反射を防止する反射防止処理が施されていることが好ましい。このように、透明部材の他方側の面に反射防止処理を施すことによって、外光の反射が防止される。したがって、本発明に係るスクリーンをプロジェクタシステムの透過型スクリーンとして用いる場合に、鑑賞者に向けて外光が反射されないため、画像のコントラストを向上させることが可能となる。
【００１１】
また、本発明に係るスクリーンは、上記透明部材と自らによって少なくとも上記透過率変更部のうち上記画像が表示される部位が挟み込まれるように配置される板状の第２透明部材を備えることが好ましい。このような第２透明部材を備えることによって、透過率変更部が第１及び第２透明部材によって挟まれる。したがって、透過率変更部が外部と遮断された状態となるので、透過率変更部が汚れることを防止することが可能となる。
また、このような第２透明部材を備えた場合には、本発明に係るスクリーンは、第２透明部材における上記透過率変更部との非対向面に、外光の反射を防止する反射防止処理が施されていることが好ましい。このように、第２透明部材における透過率変化部との非対向面に反射防止処理を施すことによって、本発明に係るスクリーンをプロジェクタシステムの反射型スクリーンとして用いる場合に、外光が鑑賞者に反射されることを防止することができる。したがって、画像のコントラストを向上させることが可能となる。
【発明を実施するための最良の形態】
【００１２】
以下、図面を参照して、本発明に係るスクリーンの一実施形態について説明する。なお、以下の説明に用いる各図面では、各部材を認識可能な大きさとするため、各部材の縮尺を適宜変更している。
【００１３】
（第１実施形態）
図１は、本第１実施形態に係るスクリーン２を備えるプロジェクタシステム２の概略構成図である。この図に示すように、本第１実施形態に係るプロジェクタシステム１は、スクリーン２と、プロジェクタ本体３とを主な構成要素として有している。
【００１４】
プロジェクタ本体３は、投射光Ｌをスクリーン２に対して投射するものである。このプロジェクタ本体は、光源装置、光変調装置及び投射レンズを有しており、光源装置から出射された光を光変調装置において画像データに基づいて変調し、この変調光を投射レンズを介して投射光Ｌとして投射する。
なお、光源装置としては、超高圧水銀ランプ、メタルハロゲンランプ、キセノンランプあるいはＬＥＤ等を用いることができる。また、光変調装置としては、液晶ライトバルブや微小ミラーアレイデバイス等を用いることができる。
【００１５】
スクリーン２は、例えば、一般家庭や小型店舗の窓の代わりに固定配置されており、プロジェクタ本体３から所定距離だけ離間された配置されている。なお、プロジェクタ本体３からスクリーン２までの距離を変更する場合には、スクリーン２が固定配置されているため、プロジェクタ本体３を移動させることとなる。
【００１６】
このスクリーン２は、投射光Ｌを受けることによって画像を表示するものであり、図１に示すように、２枚の板状の透明部材２１，２２（透明部材，第２透明部材）と、反射幕２３（第１幕部材）、巻き取り器２４（第１展開・収納機構）とを有している。
【００１７】
２枚の板状の透明部材２１，２２は、支持部２５，２６によって支持されており、互いの間に所定の隙間ｄが形成されるように対向配置されている。この透明部材２１，２２は、例えば、ガラス製やプラスチック製の透明材料によって形成されている。
そして、支持部２５は透明部材２１，２２の下部と固着することによって透明部材２１，２２を支持し、支持部２６は透明部材２１，２２の下部と固着することによって透明部材２１，２２を支持している。
また、本第１実施形態に係るプロジェクタシステム１において、スクリーン２の透明部材２１の外側面２１ａ（第２透明部材における透過率変更部との非対向面）には反射防止処理コートが形成されている。なお、この反射処理コートはディッピングによって形成することができる。
【００１８】
支持部２６は中空部材であり、その内部には、不図示の支持部によって支持部２６の内部に回転自在に支持された巻き取り器２４が設置されている。この巻き取り器２４には、反射幕２３の一部（上部）が巻回されており、反射幕２３は、巻き取り器２４によって、透明部材２１と透明部材２２との間に形成された隙間ｄに位置するように、すなわち透明部材２２の一方の面側に位置するように支持されている。したがって、巻き取り器２４を駆動することによって、反射幕２３を展開あるいは収納することができる。そして、この反射幕２３は、光を反射すると共に、光を散乱させる。
また、反射幕２３の下部には、図示するように所定の重量の重り２７が設置されており、この重り２７によって、常に反射幕２３の表面が平坦とされている。
なお、本実施形態において本発明に係る透過率変更部は、反射幕２３及び巻き取り器２４によって構成されている。
【００１９】
このように構成されたプロジェクタシステム１において、スクリーン２の反射幕２３を巻き取り器２４によって、展開あるいは収納することによって、スクリーン２の透過率が変化される。
【００２０】
具体的には、反射幕２３を収納している場合には、外光が透明部材２１，２２を介して入射するため、スクリーン２の透過率は高くなる。したがって、例えば、日中、太陽光を室内に取り込む場合には反射幕２３を収納すればよく、この際、本実施形態に係るプロジェクタシステム１に備えられるスクリーン２は窓としての機能を発揮する。なお、反射幕２３を収納している場合には、スクリーン２に画像が表示されることがないため、プロジェクタ本体３は、例えば、邪魔とならない場所に収納しておいて構わない。
【００２１】
また、反射幕２３を展開している場合には、外光が反射幕２３によって遮断されるため、スクリーン２の透過率は低くなる。したがって、例えば、太陽光の室内への入射や室内の光を外部に射出したくない場合には、反射幕２３を展開すればよく、この際、本実施形態に係るプロジェクタシステム１に備えられるスクリーン２は窓及びカーテンとしての機能を発揮する。
【００２２】
次に、反射幕２３を展開した状態で、プロジェクタ本体３から投射光Ｌをスクリーン２に向けて投射すると、投射光Ｌが反射幕２３において反射及び散乱されてこれによって、反射幕２３上に画像が表示される。したがって、反射幕２３を展開した状態でスクリーン２に投射光Ｌを投射することによって、本実施形態に係るプロジェクタシステム１に備えられるスクリーン２は反射型スクリーンとしての機能を発揮する。また、このように、本実施形態に係るプロジェクタシステム１に備えられるスクリーン２を反射型スクリーンとして用いる場合には、スクリーン２の透明部材２１の外側面２１ａに反射防止処理コートが形成されているため、投影光Ｌが透明部材２１の外側面２１ａに反射することがない。したがって、コントラストの良い画像を得ることができる。
【００２３】
このようなプロジェクタシステム１に備えられる本実施形態に係るスクリーン２によれば、従来の窓及びカーテンの設置場所にスクリーン２を設置することによって、従来の窓及びカーテンが有する機能を損なうことなく、プロジェクタシステムのスクリーンを設置することが可能となる。したがって、広い設置スペースを確保することなく、スクリーンを設置することができる。
【００２４】
また、本実施形態に係るスクリーン２によれば、透明部材２１，２２によって形成される隙間ｄ、すなわち透明部材２１と透明部材２２との間に挟み込まれるように画像が表示される部位である反射幕２３が配置されるため、反射幕２３が汚れることを防止することができる。
【００２５】
（第２実施形態）
次に、図２を参照して本第２実施形態に係るスクリーン４が備えられるプロジェクタシステム１について説明する。なお、本第２実施形態において、上述した第１実施形態の構成要素と同一の要素については同一符号を付し、その説明を省略又は簡略化する。
【００２６】
図２は、本第２実施形態に係るスクリーン４を備えるプロジェクタシステム１の概略構成図である。
この図に示すように本第２実施形態に係るスクリーン４は、支持部２５が中空部材として構成されており、その内部に巻き取り器２４が不図示の支持部によって回転自在に設置されている。そして、この巻き取り器２４には、反射幕２３の一部（下部）が巻回されている。また、支持部２５の内部には、反射幕２３の上部に接続された吊上げ糸４１を巻き取ることによって反射幕２３を吊上げる吊上げ器４２が設置されている。
なお、本実施形態において本発明に係る透過率変更部は、反射幕２３、吊上げ糸４１及び吊上げ器４２によって構成されている。
【００２７】
このように構成された本第２実施形態に係るスクリーン４においては、上記第１実施形態と同様の効果を奏すると共に、例えば、図示するように、反射幕２３を透明部材２１，２２の途中部位まで展開することによって、日中に室内を外部から見られることなく、採光することが可能となる。
【００２８】
（第３実施形態）
次に、図３を参照して本第３実施形態に係るスクリーン５を備えるプロジェクタシステム１について説明する。なお、本第３実施形態においても、上述した第１実施形態の構成要素と同一の要素については同一符号を付し、その説明を省略又は簡略化する。
【００２９】
図３は、本第３実施形態に係るスクリーン５を備えるプロジェクタシステム１の概略構成図である。
この図に示すように本第３実施形態に係るスクリーン５は、反射幕２３の代わりに透過幕５１を備えている。そして、この透過幕５１は、入射する投射光Ｌを透過する際に散乱させ、これによって、透過幕５１上に画像が表示される。
なお、本実施形態において本発明に係る透過率変更部は、透過幕２３及び巻き取り器２４によって構成されている。
【００３０】
このような本第３実施形態に係るスクリーン５の透過幕５１を展開した場合には、透過幕５１を収納した場合より、スクリーン５における透過率が低くなる。したがって、透過幕５１を展開することによって、本第３実施形態に係るスクリーン５は、薄手のカーテンの機能を発揮する。
また、透過幕５１を展開した状態で、例えば室内に配置したプロジェクタ本体３から投射光Ｌを透過幕５１に投射することによって、スクリーン５を透過型スクリーンとして用いることができ、室外の鑑賞者に対して画像を表示することができる。
したがって、例えば、店舗等に本第３実施形態に係るスクリーン５を備えるプロジェクタシステム１を設置することによって、営業時間外にショウウィンドウ内を照明等によって照らすことなく歩行者に対して広告等を行うことができる。
【００３１】
なお、本第３実施形態に係るスクリーン５において、透明部材２２の外側面２２ａにも透明部材２１の外側面２１ａと同様に、反射防止コートを形成することが好ましい。このように、透明部材２２の外側面２２ａに反射防止コートを形成することによって、透明部材２２の外側面２２ａにおける太陽光（外光）の反射を防止することができるため、室外の鑑賞者に対して高コントラストの画像を提供することができる。
【００３２】
（第４実施形態）
次に、図４を参照して本第４実施形態に係るスクリーン６を備えるプロジェクタシステム１について説明する。なお、本第４実施形態においても、上述した第１及び第３実施形態の構成要素と同一の要素については同一符号を付し、その説明を省略又は簡略化する。
【００３３】
図４は、本第４実施形態に係るスクリーン６を備えるプロジェクタシステム１の概略構成図である。
この図に示すように本第４実施形態に係るスクリーン６は、反射幕２３及び透過幕５１を備えている。これらの反射幕２３及び透過幕５１は、各々、支持部２６の内部に設置された巻き取り器６１，６２（第１展開・収納機構，第２展開・収納機構）にその上部が巻回されることによって、隙間ｄに位置するように支持されている。
なお、本実施形態において本発明に係る透過率変更部は、反射幕２３、透過幕５１及び巻き取り器６１，６２によって構成されている。
【００３４】
このような本第４実施形態に係るスクリーン６によれば、反射幕２３及び透過幕５１の透過率が異なるため、本実施形態に係るスクリーン６にカーテン及び薄手のカーテンの機能を発揮させることができる。
また、本第４実施形態に係るスクリーン６は、反射幕２３及び透過幕５１を備えているため、スクリーン６を反射型スクリーン及び透過型スクリーンとして用いることが可能となる。
【００３５】
（第５実施形態）
次に、図５を参照して本第５実施形態に係るスクリーン７を備えるプロジェクタシステム１について説明する。なお、本第５実施形態においても、上述した第１実施形態の構成要素と同一の要素については同一符号を付し、その説明を省略又は簡略化する。
【００３６】
図５は、本第５実施形態に係るスクリーン７を備えるプロジェクタシステム１の概略構成図である。
この図に示すように本第５実施形態に係るスクリーン７は、反射幕２３、巻き取り器２４及び重り２７を備えておらず、代わりに投射光Ｌを反射かつ散乱する複数の反射板（散乱板）７１を略水平方向に延在して配置している。そして、各反射板７１を投射光Ｌの入射方向に対して直交し、かつ、水平な回転軸Ａを中心として回転自在に支持する不図示の駆動装置（回転機構）を備えている。
なお、本実施形態において本発明に係る透過率変更部は、反射板７１及び駆動装置によって構成されている。
【００３７】
このような本第５実施形態に係るスクリーン７によれば、図５（ａ）に示すように、駆動装置によって、反射板７１の反射面７１ａ（散乱面）を投射方向に向けることによって、スクリーン７を反射型スクリーンとして用いることができる。また、この状態において、プロジェクタ本体３から投射光Ｌを投射しない場合には、スクリーン７によって外光を遮断することができる。
また、図５（ｂ）に示すように、駆動装置によって、反射板７１の反射面７１ａを投射方向と平行にすることによって、スクリーン７を介して外光を取り込むことができる。
【００３８】
なお、反射板７１の代わりに、投射光Ｌを透過させる際に散乱させる透過板を設置しても良い。このような透過版を設置することによって、スクリーン７を透過型スクリーンとして用いることが可能となる。
【００３９】
（第６実施形態）
次に、図６を参照して本第６実施形態に係るスクリーン８を備えるプロジェクタシステム１について説明する。なお、本第６実施形態においても、上述した第１実施形態の構成要素と同一の要素については同一符号を付し、その説明を省略又は簡略化する。
【００４０】
図６は、本第６実施形態に係るスクリーン８を備えるプロジェクタシステム１の概略構成図である。
この図に示すように、本第６実施形態に係るスクリーン８は、反射幕２３、巻き取り器２４及び重り２７を備えておらず、代わりに投射光Ｌを反射かつ散乱すると共に、折り畳み自在の反射板（散乱板）８１と、支持部２６の内部に設置され、反射板８１を折り畳むことによって収納する収納器（折り畳み収納機構）８２とを備えている。
なお、本実施形態において本発明に係る透過率変更部は、反射板８１及び収納器８２によって構成されている。
【００４１】
このような第６実施形態に係るスクリーン８によれば、図６（ａ）に示すように、反射板８１が展開されている状態では、外光を遮断することができるため、この状態においてスクリーン８は窓及びブラインドの機能を発揮する。また、この状態において、投射光Ｌをプロジェクタ本体３から投射することによって、スクリーン８は、反射型スクリーンとしての機能を発揮する。
また、図６（ｂ）に示すように、収納器８２によって、反射板８１を折り畳んで収納することによって、スクリーン８を介して外光を取り込むことができる。
【００４２】
なお、反射板８１の代わりに、投射光Ｌを透過させる際に散乱させる透過板を設置しても良い。このような透過版を設置することによって、スクリーン８を透過型スクリーンとして用いることが可能となる。
【００４３】
以上、添付図面を参照しながら本発明に係るスクリーンの好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４４】
例えば、上記第１〜第４実施形態において、反射幕２３あるいは透過幕５１を巻き取り器２４によって上方あるいは下方に巻き取ることによって反射幕２３あるいは透過幕５１を収納した。しかしながら、本発明はこれに限定されるものではなく、巻き取り器２４を透明部材２１あるいは透明部材２２の側方に配置し、この巻き取り器で反射幕２３あるいは透過幕５１を横方向に巻き取ることによって反射幕２３あるいは透過幕５１を収納しても良い。
【００４５】
また、上記第５実施形態において、水平方向に延在する各反射板７１を投射光Ｌの入射方向に対して直交し、かつ、水平な回転軸Ａを中心として回転させた。しかしながら、本発明はこれに限定されるものではなく、例えば、反射板７１を鉛直方向に延在して配置し、各反射板７１を投射光Ｌの入射方向に対して直交し、かつ、鉛直な回転軸Ａを中心として回転させても良い。
【００４６】
また、上記第６実施形態において、収納器８２によって、反射板８１を上方に折り畳むことによって収納した。しかしながら、本発明はこれに限定されるものではなく、例えば、収納器を透明部材２１あるいは透明部材２２の側方に配置し、この収納器で反射板８１を横方向に折り畳むことによって収納しても良い。
【図面の簡単な説明】
【００４７】
【図１】本発明の第１実施形態に係るスクリーンを備えるプロジェクタシステムの概略構成図である。
【図２】本発明の第２実施形態に係るスクリーンを備えるプロジェクタシステムの概略構成図である。
【図３】本発明の第３実施形態に係るスクリーンを備えるプロジェクタシステムの概略構成図である。
【図４】本発明の第４実施形態に係るスクリーンを備えるプロジェクタシステムの概略構成図である。
【図５】本発明の第５実施形態に係るスクリーンを備えるプロジェクタシステムの概略構成図である。
【図６】本発明の第６実施形態に係るスクリーンを備えるプロジェクタシステムの概略構成図である。
【符号の説明】
【００４８】
１……プロジェクタシステム、２，４〜８……スクリーン、３……プロジェクタ本体、２１，２２……透明部材、２３……反射幕、２４，６１，６２……巻き取り器、５１……透過幕、７１，８１……反射板、８２……収納器
【図１】
2005128343.tif 000003
【図２】
2005128343.tif 000004
【図３】
2005128343.tif 000005
【図４】
2005128343.tif 000006
【図５】
2005128343.tif 000007
【図６】
2005128343.tif 000008